(57)【要約】【課題】本発明では、装置を設置して作動させても、定期点検等は、規定通りのもので、煩わしくなく、交換部品も濾過器くらいで、それほど高価なものではなく、メンテナンスも容易な水質浄化装置を提供することを目的とする。【解決手段】水中に配置された濾過器から取水した水を吸水配管に導水し、吸入口からポンプ内に導き、このポンプの吐出口より圧送水流として吐出水配管に圧送導水させ、圧送水導入口よりノズルユニット内に導水させ、前記ノズルユニットの圧送水圧維持部に取り付けた特殊ノズル部にて、エアーフィルター部から導入した空気を、前記特殊ノズル部の気体取入れ口より導入し、内部にて上下４個所の対向配置する経路に分岐配設した気体流出口から前記導入した空気を超微細気泡として圧送水流に混入させ、超微細気泡を含む気液混合水流として水中に噴出する水質浄化装置である。【選択図】図１
2020116554.tif 000002
【特許請求の範囲】
【請求項１】
水中に配置されて、水を取り入れる濾過器と、ポンプと、前記濾過器と前記ポンプを接続する吸水配管と、前記ポンプにより吐出される圧送水流を導水し、ノズルユニットに接続する吐出水配管と、前記ノズルユニットに含まれる圧送水圧維持部に取り付けられた特殊ノズル部と、前記特殊ノズル部の気体取入れ口に、空気を取り入れるエアーフィルター部とを接続し、空気を導入して、前記特殊ノズル部内部にて、前記気体取入れ口から接続して上下４個所の対向配置する経路に分岐配設された気体流出口を、前記特殊ノズルの圧送水流の管内流路に開口させて設け、前記エアーフィルター部から取り入れた空気を前記気体流出口の開口部にて、超微細気泡化して圧送水流に混入させ、超微細気泡を含む気液混合水流としてノズル出口から水中に噴出することを特徴とする水質浄化装置。
【請求項２】
水中に配置されて、水を取り入れる濾過器と、ポンプと、前記濾過器と前記ポンプを接続する吸水配管と、前記ポンプにより吐出される圧送水流を導水し、ノズルユニットに接続する吐出水配管と、前記ノズルユニットに含まれる圧送水圧維持部に取り付けられた特殊ノズル部にて、エアーフィルター部と、前記特殊ノズル部の気体取入れ口とを、空気用配管により接続し、空気を導入して、前記特殊ノズル部内部にて、前記気体取入れ口から接続して上下４個所の対向配置する経路に分岐配設された気体流出口を、前記特殊ノズルの圧送水流の管内流路に開口させて設け、前記エアーフィルター部から取り入れた空気を前記気体流出口の開口部にて、超微細気泡化して圧送水流に混入させ、超微細気泡を含む気液混合水流としてノズル出口から水中に噴出することを特徴とする水質浄化装置。
【請求項３】
前記ノズルユニットにおいて、超微細気泡を含む気液混合水流を噴出する前記特殊ノズルが１個所乃至６個所配設されていることを特徴とする前記第１項、又は、前記第２項の何れか１項に記載の水質浄化装置。
【発明の詳細な説明】
【技術分野】
【０００１】  本発明は、水質を改善する装置に関し、詳しくは、生活廃水、産業廃水、農薬等の流入による水において、富栄養化により汚染が深刻化している河川、湖沼、海湾などの水質浄化装置に関するものである。
【背景技術】
【０００２】  例えば、特許文献１において、水面上に浮遊させる上部側が拡がった漏斗状の浮体の構造で、該浮体には下方にシャフトを接続する。漏斗状の浮体の上部に設置したポンプ駆動により水流を発生させ、エジェクター部に供給し、その際に発生した吸引力を用いて空気を浮体上部より取り込んだ水とともに大量で強力な下降流を形成させる。その結果上部の比較的酸素濃度の高い水と空気とを水底部に連続的に供給することができることが開示されている。【０００３】  また、例えば、特許文献２には、エアーフィルターを通過した空気は、過給又は酸素濃縮装置等によってその酸素濃度を高め、イオン発生装置に入り、ここで取り込まれた空気は１０、０００個／ｃｃ〜１、０００、０００個／ｃｃにイオン化され送水管の連結口に送られ、吸水ポンプにより吸引された水は吸水フィルターを通り、又は育成光線放射装置を通過してその浸透性を高め前記連結口でイオン化された空気を吸引して、渦乱流発生装置で予備的にマイクロバブル化され、そのあと口径を絞ることで処理水を加速噴射する微細気泡発生ノズルでさらに気泡を微細化すると共に、遠方まで処理水を放出する水質改善方法が開示されている。
【先行技術文献】
【特許文献】
【０００４】
【特許文献１】特開２０１２−２４００４０号公報
【特許文献２】特開２０１５−１９９０１３号公報
【発明の概要】
【発明が解決しようとする課題】
【０００５】  前記特許文献１では、水質改善装置は基本的に浮遊式で自由に移動するが、通常は、基点より係留ロープによって陸上の基点に連結支持して用いる。また電源供給は装置上部に設置する太陽光発電又はケーブルによる外部電源を用いてもよいと記されているが、水質浄化作用時には、係員が常時監視して、移動時などには、係員が誘導しなければならず、取り扱いが煩雑で面倒である。
前記特許文献２では、吸水フィルター１１内に、育成光線放射セラミックボール１９として、二酸化チタン、アルミナ、ブラックシリカ、トルマリンなどのセラミック材料粉末を粘土に混ぜ込み、粒径は３ｍｍから２０ｍｍ程度の球体に成形し、実験に用いたのは、平均粒８ミリの球体に成形し、約１０００度で焼成したものを収納して用いている。交換部品として、高価である。【０００６】  ところで、発明者達は、以前、超微細気泡を発生させる特殊ノズル部を使用した急速気体充填装置により生成する超微細気泡含有液体の出願、特願２０１７−２１１２５１号を出願した。そこで、本願発明の第１の目的として、超微細気泡を発生させる特殊ノズル部を使用して水質浄化装置を提供することとし、更に、本願発明の第２の目的として、超微細気泡を発生させる特殊ノズル部を使用した水質浄化装置を設置して作動させても、定期点検等は、煩わしくなく、交換部品も濾過器くらいで、それほど高価なものではなく、メンテナンスも容易な水質浄化装置を提供することとする。
【課題を解決するための手段】
【０００７】  本願発明に係る第１の発明は、水中に配置されて、水を取り入れる濾過器と、ポンプと、前記濾過器と前記ポンプを接続する吸水配管と、前記ポンプにより吐出される圧送水流を導水し、ノズルユニットに接続する吐出水配管と、前記ノズルユニットに含まれる圧送水圧維持部に取り付けられた特殊ノズル部と、前記特殊ノズル部の気体取入れ口に、空気を取り入れるエアーフィルター部とを接続し、空気を導入して、前記特殊ノズル部内部にて、前記気体取入れ口から接続して上下４個所の対向配置する経路に分岐配設された気体流出口を、前記特殊ノズルの圧送水流の管内流路に開口させて設け、前記エアーフィルター部から取り入れた空気を前記気体流出口の開口部にて、超微細気泡化して圧送水流に混入させ、超微細気泡を含む気液混合水流としてノズル出口から水中に噴出することを特徴とする水質浄化装置である。
本願発明に係る第２の発明は、水中に配置されて、水を取り入れる濾過器と、ポンプと、前記濾過器と前記ポンプを接続する吸水配管と、前記ポンプにより吐出される圧送水流を導水し、ノズルユニットに接続する吐出水配管と、前記ノズルユニットに含まれる圧送水圧維持部に取り付けられた特殊ノズル部にて、エアーフィルター部と、前記特殊ノズル部の気体取入れ口とを、空気用配管により接続し、空気を導入して、前記特殊ノズル部内部にて、前記気体取入れ口から接続して上下４個所の対向配置する経路に分岐配設された気体流出口を、前記特殊ノズルの圧送水流の管内流路に開口させて設け、前記エアーフィルター部から取り入れた空気を前記気体流出口の開口部にて、超微細気泡化して圧送水流に混入させ、超微細気泡を含む気液混合水流としてノズル出口から水中に噴出することを特徴とする水質浄化装置である。
本願発明に係る第３の発明は、前記ノズルユニットにおいて、超微細気泡を含む気液混合水流を噴出する前記特殊ノズルが少なくとも１個所配設されていることを特徴とする前記第１項記載の水質浄化装置である。
【発明の効果】
【０００８】  本発明の水質浄化装置において、ノズルユニットに含まれる特殊ノズル３０の管内の圧送水流は、鼓（つづみ）型の管内流路である単純な構造をしており（図４参照）、また、液体の圧損を小さくするため自吸した空気を４個所の対向配置する経路に分岐補給するので、滑らかで静穏で、且つ、高真空（−０・０９ＭＰａ以下）を発生させることができる。そのため、超効率的な気液混合が起こり、大量の超微細気泡発生を可能にした。そして、エアーフィルター部と、前記特殊ノズル部の気体取入れ口とを、空気用配管により接続して、空気を導入することにより、複数の特殊ノズルを使用可能として、勿論、ポンプの出力も増大することにより、大量に発生させた超微細気泡により水質浄化を図ることが可能となる。更に、空気中の浮遊粒子を濾過するエアーフィルター部５１を設けると共に、吸水配管１３や吐出水配管１６の口径も大きくとり、通水経路を太くして、それにより、固形異物による目詰まりも起こりにくく、また、大型化が可能である。例えば６０ｍ３／分（６０，０００Ｌ／分）〜１２０ｍ３／分（１２０，０００Ｌ／分）等の大流速で処理し、アオコによるカビ臭低減を目的とする河川水質改善の実験例がある。【０００９】  ところで、粒径が５０μｍよりも大きい気泡、特に、粒径が１ｍｍ以上のミリ気泡は、水中を上方へ移動しながら水中の空気を吸収していくため、気泡は徐々に大きくなっていく。大きくなるにつれて上方への移動速度も大きくなり、水面に到達して破裂するので、大半の酸素は大気中に拡散する。その結果、水質への効果的な酸素供給が不可能となる。
粒径が５０μｍ以下の超微細気泡は、上記の大きな気泡より重たいため、上方への上昇速度がかなり小さいだけでなく、水中で水圧により徐々に小さくなり、水面に達するまでにほとんどの気泡が消滅する。即ち、超微細気泡内の酸素は水中内に放出され、効果的な酸素補給が可能である。その結果として、水質中の溶存酸素濃度が急増する。超微細気泡の到達距離は、水平方向で６００ｍ以上、垂直方向で６０ｍ以上になることが実験により確認されている。このため広大な水域の水質改善が可能である。【００１０】  従来のような、一般のバブリングシステムでは、一般的な気泡が発生するため、水面下１ｍの狭い水域に溶存酸素補給をするだけですが、本発明の水質浄化装置１では、超微細気泡が大量に発生するために、水底深層域から水面域までの水域全体に溶存酸素が補給される利点がある。
超微細気泡が水中で消滅することは、上記の溶存酸素急増以外にも重要な水質浄化をもたらす。超微細気泡の消滅直前の粒径はほとんどゼロとみなされます。このような超々微細気泡の消滅時には数千度以上で数百気圧以上の領域を形成する。このような極限反応場（ホットスポット）は極めて微小な領域ではあるが、内部ガス分子を強制的に分解できるほど強力な物理化学的作用があり、また、水分子に作用して強力な酸化作用をもつ活性酸素である水酸基ラジカル（・ＯＨ）を発生させる。【００１１】  一方、超微細気泡の表面は負に帯電しているため、気泡同士は互いに接近しても電気的に反発し合い、付着や合一は起こらないことも特徴の一つである。超微細気泡は極めて小さいため、狭い空間に大量に独立して存在することが可能であり、それらが集合的に作用を引き起こし、強力に水質浄化をもたらすことになる。超微細気泡の表面は負に帯電しているので、水質中の正のイオン物質が付着している。そして、超微細気泡が消滅に向かって粒径が小さくなっていくにつれて、気泡の表面積も減少していく。すると、気泡消滅時にイオン集積物は水質中に解放されるのであるが、濃縮されたイオン類として蓄えられたエネルギーが、上述した物理化学的作用と同様に、フリーラジカルの発生をもたらす。具体的には、水分子が分解されて活性酸素の・ＯＨラジカルが生成し、好気性菌の活性化や有害物質の酸化分解をもたらす。特に、アンモニアや硫化水素などの悪臭物質が酸化分解され、臭気が改善される。【００１２】  また、アオコなどの有害植物が繁茂するために必要な栄養塩であるリンイオンは、溶存酸素や活性酸素によって酸化されてリン酸塩となり、カルシウムや鉄と結合して、水底に固定されるので、アオコ等の有害植物の生育が抑制されると共に、最終的に消滅する。
溶存酸素の増加により好気性菌が活性化されるが、また、一方では超微細気泡表面が還元雰囲気であるために嫌気性菌も活性化されるので、活性化された好気性菌と嫌気性菌の協力のもとに、堆積汚泥も効率良く分解される。【００１３】  上記のように超微細気泡によってアオコなどの有害植物、有害物質及び堆積汚泥が消失し、水質が浄化されるだけでなく、溶存酸素増加により水生生物も活性化され、成長促進がもたらされる。
超微細気泡曝気装置である本発明の水質浄化装置１は、薬品を一切使用しないで、空気中の酸素を効果的に利用する水質浄化手法である。本発明の超微細気泡水質浄化装置１は、超微細気泡を大量に発生でき、広大な水域を効率的に浄化できる優位性を持つ高度曝気システムであるといえる。
【図面の簡単な説明】
【００１４】
【図１】本発明に係る水質浄化装置１を示す図である。
【図２】本発明に係る濾過器２０を示す図であり、図２（ａ）は、濾過器２０の正面上方からの外観斜視図を示し、図２（ｂ）〜図２（ｄ）は、前記濾過器２０の正面上方からの分解斜視図を示す。
【図３】本発明に係るノズルユニット２６を示す図である。図３（ａ）は、ノズルユニット２６の正面図を示し、図３（ｂ）は、ノズルユニット２６の右側面図を示し、図３（ｃ）は、ノズルユニット２６の上面視の平面図を示す。
【図４】本発明に係る特殊ノズル３０の縦断面図を示す。
【図５】本発明に係るエアーフィルター部５１の外観斜視図を示す。
【図６】本発明に係る実施例２の水質浄化装置５５を示す図である。
【図７】本発明に係る実施例２の超微細気泡を含む圧送水を噴出するノズルユニット５６を示す。図７（ａ）はノズルユニット５６の正面図を示し、図７（ｂ）は、ノズルユニット５６の上面視の平面図を示し、図７（ｃ）は、ノズルユニット５６の右側面図を示し、図７（ｄ）は左側面図を示す。
【図８】本発明に係る実施例３の水質浄化装置５９を示す図である。
【図９】本発明に係る実施例３の超微細気泡を含む圧送水を噴出するノズルユニット６０を示す。図９（ａ）はノズルユニット６０の正面図を示し、図９（ｂ）は、ノズルユニット６０の上面視の平面図を示し、図９（ｃ）は、ノズルユニット６０の右側面図を示す。
【図１０】本発明に係る実施例４の水質浄化装置６６を示す図である。
【図１１】本発明に係る空気用配管を示す説明図である。図１１（ａ）は、第１のゴムホース（第１の空気用配管）８２を示す。図１１（ｂ）は、第２のゴムホース（第２の空気用配管）８４を示す。図１１（ｃ）は、第３のゴムホース（第３の空気用配管）８７を示す図である。
【図１２】本発明に係る実施例５の水質浄化装置６８を示す図である。
【図１３】本発明に係る実施例６の水質浄化装置６９を示す図である。
【図１４】本発明に係る実施例７の水質浄化装置７２を示す図である。
【図１５】本発明に係る実施例８の水質浄化装置９０を示す図である。
【図１６】本発明に係る実施例９の水質浄化装置１００を示す図である。
【図１７】本発明に係る実施例１０の水質浄化装置１１０を示す図である。
【図１８】本発明に係る実施例１０の水質浄化装置１１０に使用されて、超微細気泡を含む圧送水を噴出するノズルユニット１１５を示す図である。
【図１９】本発明に係る第４のゴムホース（第４の空気用配管）を示す図である。
【発明を実施するための形態】
【００１５】  以下、実施例を図面に基づいて説明する。
【実施例１】
【００１６】  図１は、本発明に係る実施例１の水質浄化装置１を示す図である。図１を参照して、河川、湖沼、海湾などの水２を浄化する水質浄化装置１においては、水辺近くの陸上部分に管理施設としての管理小屋３を設置しており、この管理小屋３の正面に両開き扉４を備えている。この管理小屋３の内部に、電源部５と、制御部６と、表示部９と、ポンプ部１０と、を収納している。更に、管理小屋３の正面に向かって、右外側面部に、表示部９の一部に含まれる表示ランプ９ａを備えている。勿論、正面の両開き扉４には、図示しない施錠装置が備えられていて、関係者以外の侵入を防止している。【００１７】  図１を参照して、更に、詳述すると、この水質浄化装置１は、電源部５と、制御部６と、表示部９と、ポンプ部１０と、濾過器２０と、ノズルユニット２６と、エアーフィルター部５１とから構成されている。そして、ノズルユニット２６に後述する特殊ノズル部３０が１個使用されていて、この特殊ノズル部３０内にてエアーフィルター部５１から導入された空気を超微細気泡とし、ノズルユニット２６の特殊ノズル部３０のノズル出口４３から、超微細気泡を含む気液混合水４９として放出され、この作用を繰り返しながら、大量に発生した超微細気泡により水質浄化を図ることとなる。【００１８】  尚、電源部５の駆動用電源は、商用電源でもよいし、エンジン付きの発電機による電源でもよいし、太陽光発電装置による電源でも使用可能である。制御部６には、図示しないスイッチ部７や、制御回路部８を備えている。更に、表示部９には、図示しない液晶表示部を含んでおり、係員の前記スイッチ部７の操作により、前記液晶表示部の表示内容により稼働状況が確認可能である。前記したように、管理小屋３の右外側面部に、表示部９に含まれる表示ランプ９ａが設けられており、水質浄化装置１が正常な稼働状態の場合には表示ランプ９ａが連続点灯し、水質浄化装置１に不具合個所が発生した場合には表示ランプ９ａが点滅するように制御される。これにより、水質浄化装置１が、正常に稼働しているか否かを、外部から容易に視認可能である。更に、不具合時に、例えば、図示しないブザー等により警報音を発生させるように制御してもよいし、担当部署に無線通信によるアラーム発生を発信してもよい。その他、前記スイッチ部７において、図示しない運転スイッチにより、水質浄化装置１の運転開始や運転停止等の動作を、行わせ得るように、制御可能であることは勿論である。【００１９】  説明が重複するが、実施例１のポンプ部１０は、陸上に設置された管理小屋３の内部に収容された状態である。そして、ポンプ部１０は、ポンプ本体１１からなり、このポンプ本体１１には、吸入口１２と、吐出口１５と、を備えていて、この吸入口１２に吸水配管１３の一方端部が連結されていて、吸水配管１３の他方端部の管フランジ１４を介して、水中にて、相手側の管フランジ２２ａを介して濾過器２０に接続されている。
ところで、水中の前記濾過器２０は、前記吸水配管１３の管フランジ１４の近傍にて、コンクリート製の第１の取付台５９ａに図示しないステンレスワイヤ等にて固定支持されている。
そして、後述するが、ポンプ本体１１の吐出口１５に吐出水配管１６の一方端部が連結されていて、吐出水配管１６の他方端部の管フランジ１７を介して、水中にて、相手側の管フランジ２８を介してノズルユニット２６に接続されている。そして、このノズルユニット２６は、コンクリート製の第２の取付台５９ｂに図示しないステンレスワイヤ等にて固定支持されている（図１参照）。【００２０】  図２（ａ）〜図２（ｄ）は、濾過器２０を示す。すなわち、図２（ａ）は、濾過器２０の正面上方からの外観斜視図を示し、この濾過器２０は、後述するように枠体部２１と、連結管部２２と、籠状フィルター部２３とにより構成されている。図２（ｂ）〜図２（ｄ）は、前記濾過器２０の正面上方からの分解斜視図を示す。詳述すると、図２（ｂ）を参照して、前記濾過器２０を構成する前記籠状フィルター部２３の正面上方からの外観斜視図を示す。この籠状フィルター部２３はステンレス製の細孔を有する薄板構造体、又は、細いステンレスワイヤ製の細かい編み目の編み籠である。そして、この籠状フィルター部２３の構造は、円筒側面編み目部２３ａと、底面編み目部２３ｂと、上面開口部２３ｃとからなっている。【００２１】  次に、図２（ｃ）は、枠体部２１の正面上方からの外観斜視図を示す。図２（ｃ）を参照して、枠体部２１について、これもステンレス製の薄板構造体であり、その構成は、上方部位に下方向にリング状の折り曲げ縁部２１ｃを有する上面板２１ａを配設し、この上面板２１ａの中央部に小円形の開口部２１ｂを設け、この開口部２１ｂが、後述する連結管部２２の通水口２０ａに連通する様に構成される。そして、上面板２１ａのリング状の折り曲げ縁部２１ｃに対応するように所定間隔に離間して下方部位に下部リング２１ｅを配設するように、複数の（ここでは８本の）、所定幅と所定長さを有するステンレスの薄板製の連結部材２１ｄを架橋し、両端部にて溶接して、枠体部２１を形成している。【００２２】  更に、図２（ｂ）に示す、前記籠状フィルター部２３の上面開口部２３ｃから、図２（ｃ）に示す前記枠体部２１を、下部リング２１ｅを下方向にして、前記籠状フィルター部２３内にすっぽりと嵌め込み、前記上面板２１ａにより、前記開口部２３ｃが密閉される状態として、そして、上面板２１ａのリング状の折り曲げ縁部２１ｃと、籠状フィルター部２３の上面開口部２３ｃとを、抜けないように溶接されて組み立てられる。これにより籠状フィルター部２３が、別物体と衝突しても、容易には変形しない構造体となる。【００２３】  更に、図２（ｄ）は、前記連結管部２２の正面上方からの分解斜視図を示す。図２（ｄ）を参照して、内部に通水口２０ａを有する管体２２ｂの上端部に、下方端面部にボス部を備えた管フランジ２２ａが、溶接等にて固着配設され、また、管体２２ｂの下端部に補強部材２２ｃが、溶接等にて固着配設されて、連結管部２２が形成される。そして、この連結管部２２の通水口２０ａと、前記上面板２１ａの中心部の開口部２１ｂとが連通するように、連結管部２２が補強部材２２ｃを備えて、前記枠体２１の上面板２１ａの中心部に、溶接されて、図２（ａ）に示すように、濾過器２０が、連結管部２２の通水口２０ａを開口���た状態にして組み立てられる。【００２４】  このような構成の濾過器２０において、図１を参照して、本発明に係る水質浄化装置１を構成する部材として、籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、ノズルユニット２６へと導水圧送され、後述するように超微細気泡を含む気液混合水４９となって、ノズルユニット２６から、再度、河川、湖沼、海湾などの前記水２内に圧送放出され、大量に発生した超微細気泡によりこの作用を繰り返しながら水質浄化を図ることとなる。【００２５】  そして、前記濾過器２０にはフィルター用網部材である籠状フィルター部２３が設けられており（図２参照）、水中の塵芥等により目詰まり等の不具合により吸水配管１３の途中に、図示しない吸水圧計１３ａを設けて、この図示しない吸水圧計１３ａの設定圧力信号より低圧表示がなされたならば、制御部６の制御により、表示部９の警報表示が、係員に発信され、これにより、係員が、濾過器２０の交換を行う等のメンテナンス作業が行われることにより、水質浄化の機能、性能の確保が維持される。また、吐出水配管１６に設けられている図示しない吐出圧計１６ｄの設定圧力信号により表示部９の正常表示を確認し、もし異常警報表示の場合には、係員により前記水質浄化装置１の点検作業が実施される。そして、必要により、点検マニュアルに基づく部品交換等のメンテナンス作業が行われる。【００２６】  次に、図１を参照して、水質浄化装置１においては、ノズルユニット２６を備えている。この水中のノズルユニット２６は、コンクリート製の第２の取付台５９ｂに、図示しないステンレスワイヤ等にて固定支持されていることは前記した通りである。【００２７】  図３は、本発明に係るノズルユニット２６を示す図である。図３（ａ）は、ノズルユニット２６の正面図を示し、図３（ｂ）は、ノズルユニット２６の右側面図を示し、図３（ｃ）は、ノズルユニット２６の上面視の平面図を示す。図３（ａ）〜図３（ｃ）を参照して、詳述すると、超微細気泡を含む圧送水を噴出するノズルユニット２６の長手方向の一端部に、管フランジ２８を備え、その中心部位に圧送水導入口２７ａを有している。この管フランジ２８及び中心部位の圧送水導入口２７ａに連設して、直円管状の圧送水導入管部２７ｂが形成配置され、更に、この直円管状の圧送水導入管部２７ｂに連設し、円錐状に拡径した部位２７ｃと、これに連設して前記圧送水導入管部２７ｂよりやや太めの直管状部位の圧送水圧維持部２７ｄと、これに連接して、今度は円錐状に縮径した部位２７ｅと、これに連接して、直円管状部２７ｆと、この直円管状部２７ｆ内に嵌入溶接された管状部材の特殊ノズル取付部材２７ｇを配設し、そして、この特殊ノズル取付部２７ｇの左方端部内に、特殊ノズル部３０の一端のノズル入り口側部３２が、嵌入連設され、ノズル出口４３が左方の外方に向けて配設された状態に、溶接にて固着配置され、ノズルユニット２６が構成されている。尚、ノズルユニット２６に１個使用されてい��特殊ノズル部３０については、後述する（図４参照）。【００２８】  更に、図３を参照して、前記直管状の圧送水導入管部２７ｂと前記直管状部位の圧送水圧維持部２７ｄとの上面に、各々吊りボルト２９が固着されており、このような構成によりノズルユニット２６が成り立っている。尚、前記吊りボルト２９は、ノズルユニット２６の設置時等に、ワイヤ等を用いてクレーンにより吊り上げ移動に便利である。そして、後述するように、前記特殊ノズル部３０の上面部に、気体取入れ口３６ａを備えた突出部３６が設けられており、この突出部３６には、後述するエアーフィルター部５１（図５参照）が、管継手５４を介して溶接されることになる。【００２９】  図４は、本発明に係る特殊ノズル３０の縦断面図を示す。図４を参照して、外観すると、長手方向（中心軸方向）の一方端部（左方端部）にノズル入り口３３が形成され、このノズル入り口３３に連接してノズル入り口側部３２が形成され、それに連接してノズルボディ３１が形成され、このノズルボディ３１の外側面に、気体取入れ口３６ａを有する突出部３６が設けられており、更に、このノズルボディ３１に連接してノズル出口側部４１が形成され、そして、前記このノズル出口側部４１に連接し、且つ、この特殊ノズル３０の長手方向の他方端部（右方端部）にてノズル出口４３が形成されている。【００３０】  更に、図４を参照して、この特殊ノズル３０の前記ノズルボディ３１の外径は、前記ノズル入り口側部３２と前記ノズル出口側部４１の外径よりやや大きい外径である。前記ノズル入り口側部３２と前記ノズル出口側部４１の外径は、ほぼ等しい大きさであるが、長手方向（中心軸方向）の長さは、前記ノズル出口側部４１がやや長い形状となっている。【００３１】  更に、詳述すると、長手方向（中心軸方向）の一方端部に形成される前記ノズル入り口３３に連接される前記ノズル入り口側部３２の内部において、前記ノズル入り口３３から連接して、流入する流体を絞り込む様に、徐々に縮径する円錐形の流入路３４が形成され、更に、これに連接して、一定の直径の断面円形の管内流路３５が、前記ノズルボディ３１内の軸心方向に延在形成され、更に、これに連接して、前記ノズル出口側部４１の内部において、徐々に拡径する円錐形の流出路４２が形成され、この徐々に拡径する円錐形の流出路４２の端部が、前記ノズル出口４３として形成されている。【００３２】  そして、図４を参照して、前記したように、前記ノズルボディ３１の外側面に、気体取入れ口３６ａを有する突出部３６が設けられ、この気体取入れ口３６ａは、更に、前記ノズルボディ３１内にて、前記気体取入れ口３６ａに連通して、上下対向するように分岐して４組の対向配置の気体分岐通路３７ａが分岐配置され、この４組の対向配置の気体分岐通路３７ａの各先端部の気体流出口３８が前記一定の直径の断面円形の管内流路３５内に、夫々導入開口され、前記管内流路３５内を圧送導入される圧送水流に、気体が吸引導入されるように開口形成している。更に、詳述すれば、前記ノズルボディ３１の外側面の前記突出部３６に管継手５４を溶接して、この管継手５４を介して後述するエアーフィルター部５１から導入される気体（ここでは空気）４７���、前記管内流路３５内の圧送水流４５の流れの作用により、前記気体流出口３８から気体流出４７ａが、前記管内流路３５内に流入し、導入される前記気体（ここでは空気）４７が、超微細気泡となって、気液混合水４９が生成されて前記ノズル出口４３から圧送放出されることになる。この超微細気泡を含む気液混合水４９により水質浄化が図られることとなる（図１参照）。【００３３】  重複するが、図１を参照して、本発明に係る実施例１の水質浄化装置１の概略動作を述べる。前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、ノズルユニット２６へと圧送水流として導水圧送され、ノズルユニット２６に含まれる特殊ノズル部３０内にて圧送水流に誘引される空気、即ち、エアーフィルター部５１から導入し、空気案内管５３を経て取り込まれた空気を超微細気泡とし、ノズルユニット２６に含まれる特殊ノズル部３０のノズル出口４３から、超微細気泡を含む気液混合水４９として、再度、河川、湖沼、海湾などの前記水２内に圧送放出され、この作用を繰り返しながら、大量に発生した超微細気泡により水質浄化を図ることとなる。【００３４】  図５は、本発明に係るエアーフィルター部５１の外観斜視図を示す。図５を参照して、表面と裏面の２側面に空気取り入れ口５２ａを設け、この空気取り入れ口５２ａの内側面に各々、空気は通過させるが、水分を通さないポリエチレンフィルム製のエアーフィルター部材５２ｂを取り付けてある箱型のエアーフィルター部本体５２と、この箱型のエアーフィルター部本体５２の下面側に、鍔状フランジ５３ａを有する空気案内管５３の一端部が、前記箱型のエアーフィルター部本体５２内に突入した状態にて、前記鍔状フランジ５３ａにて溶接されて取り付けられており、前記空気案内管５３の他端部が下方に延在しており、先端部に管継手５４を備えた構成となっている。この管継手５４の端部の内側には管用ネジが螺設されていて、ノズルユニット２６に含まれる前記特殊ノズル部３０（図４参照）の突出部３６（内部に気体取入れ口３６ａを備えている。）に図示しない管継手を溶接して、更に、バレルニップル等の管継手を用いて、直接取り付けることが出来る（図１参照）。このような構造により前記エアーフィルター部５１から空気が、前記特殊ノズル部３０を介して前記ノズルユニット２６（図３参照）に取り入れられて、超微細気泡を大量に発生して、前記圧送水導入口２７ｄに導入された圧送水流４５に混入され、前記ノズルユニット２６の前記ノズル出口４３から、気液混合水流４９（図１参照）となって、再度、河川、湖沼、海湾などの前記水２内に戻され、これを繰り返すことにより、大量に発生した超微細気泡により水質浄化を図ることとなる。
【実施例２】
【００３５】  図６は、本発明に係る実施例２の水質浄化装置５５を示す図である。図６を参照して、この実施例２の水質浄化装置５５は、実施例１の水質浄化装置１と概略同様の構成であるが、相違個所としては、実施例１の水質浄化装置１において、特殊ノズル部３０が１個使いであるノズルユニット２６に対し、実施例２の水質浄化装置５５において、特殊ノズル部３０が２個使いであるノズルユニット５６であると共に、それに伴いエアーフィルター部５１も２個所配設してあることも相違している。即ち、本発明に係る実施例２の水質浄化装置５５は、電源部５と、制御部６と、表示部９と、ポンプ部１０と、濾過器２０と、ノズルユニット５６と、２個所配設してあるエアーフィルター部５１、５１とから構成されている。そして、実施例２において、実施例１と共通部分は、同一部材番号で示し、主に相違部分について説明し、その他は省略した概略の説明とする。【００３６】  図６を参照して、河川、湖沼、海湾などの水２を浄化する水質浄化装置５５について、その構成を述べる。実施例１の水質浄化装置１と同様に、実施例２の水質浄化装置５５は、水辺近くの陸上部分に前記管理小屋３を設置して、この管理小屋３の内部に、電源部５と、制御部６と、表示部９と、ポンプ部１０と、を収納し、このポンプ部１０は、ポンプ本体１１からなり、このポンプ本体１１には、吸入口１２と、吐出口１５と、を備えていて、この吸入口１２に連結されている吸水配管１３の端部の管フランジ１４を介して、水中にて、相手側の管フランジ２２ａを介して濾過器２０に接続されている。更に、実施例１と同様に、実施例２においても（図６参照）、吐出口１５に接続される吐出水配管１６の端部の管フランジ１７を介して、水中にて相手側の管フランジ５８を介してノズルユニット５６に接続されていて、そのノズルユニット５６に含まれる２個使いの特殊ノズル部３０に各々エアーフィルター部５１、５１を、図示しない管継手を介して直接溶接して、配設して構成されている。そして、管理小屋３の正面に向かって右外側面部に、表示部９に含まれる表示ランプ９ａを備えている。勿論、正面の両開き扉４には、図示しない施錠装置が備えられている。【００３７】  前記したように、管理小屋３の右外側面部に、表示部９に含まれる表示ランプ９ａが設けられており、水質浄化装置５５が正常な稼働状態の場合には表示ランプ９ａが連続点灯し、水質浄化装置１に不具合個所が発生した場合には表示ランプ９ａが点滅するように制御される。これにより、水質浄化装置５５が、正常に稼働しているか否かを、外部から容易に視認可能である。更に、不具合時に、例えば、図示しないブザー等により警報音を発生させるように制御してもよいし、担当部署に無線通信によるアラーム発生を発信してもよいことは前記実施例１の水質浄化装置１と同様である。
更に、説明が重複するが、水中の前記濾過器２０は、前記吸水配管１３の管フランジ１４の近傍にて、コンクリート製の第１の取付台５９ａに図示しないステンレスワイヤ等にて固定支持されている。同様に水中のノズルユニット５６は、コンクリート製の第２の取付台５９ｂに図示しないステンレスワイヤ等にて固定支持されている。【００３８】  図７（ａ）〜図７（ｄ）は、本発明に係る実施例２の超微細気泡を含む圧送水を噴出するノズルユニット５６を示す。図７（ａ）はノズルユニット５６の正面図を示し、図７（ｂ）は、ノズルユニット５６の上面視の平面図を示し、図７（ｃ）は、ノズルユニット５６の右側面図を示し、図７（ｄ）は左側面図を示す。詳述すると、図７（ａ）〜図７（ｄ）を参照して、超微細気泡を含む圧送水を噴出するノズルユニット５６の一端部には、管フランジ５８を備え、その中心部位に圧送水導入口５７ａを有している。この管フランジ５８及び中心部位の圧送水導入口５７ａに連設して、直円管状の圧送水導入管部５７ｂが形成配置され、更に、この直円管状の圧送水導入管部５７ｂに連設して、左方に略Ｕ字状に曲げて形成されたやや太めの圧送水圧維持部５７ｃが配設形成され、この略Ｕ字状の圧送水圧維持部５７ｃの両端部が、円錐状に縮径し、更に、これに連設してなる管状部位である特殊ノズル取付部５７ｄ、５７ｄ内に、各々１個ずつの特殊ノズル部３０、３０（上記した図４参照）の各々一端部のノズル入り口側部３２、３２を、嵌入連接し、各々溶接にて固着配置されている。即ち、ノズルユニット５６には、２個所の特殊ノズル部３０が配設されている訳である。【００３９】  そして、直円管状の圧送水導入管部５７ｂと、左方に略Ｕ字形状に曲げて形成配置された圧送水圧維持部５７ｃの上面２個所との、合計３個所に各々吊りボルト２９が固着配置されている。このような構成により、超微細気泡を含む圧送水を噴出するノズルユニット５６が成り立っている。尚、前記吊りボルト２９は、ノズルユニット５６の設置時等に、ワイヤ等を用いてクレーンにより吊り上げ移動に便利である。そして、前記したように、２個所の前記特殊ノズル部３０の上面部に、各々気体取入れ口３６ａを備えた突出部３６が設けられており、各々この突出部３６には、前記したようにエアーフィルター部５１、５１（図５参照）が、各々管継手５４を介して溶接されることになる（図６参照）。【００４０】  重複するが、図６を参照して、本発明に係る実施例２の水質浄化装置５５の概略動作を述べる。前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、ノズルユニット５６へと圧送水流として導水圧送され、ノズルユニット５６に含まれる２個所の各々特殊ノズル部３０、３０内にて圧送水流に誘引される空気、即ち、２個所の各々エアーフィルター部５１、５１から導入され、空気案内管５３、５３を経て取り込まれた空気を超微細気泡とし、ノズルユニット５６の２個所の特殊ノズル部３０、３０の各々ノズル出口４３、４３から、超微細気泡を含む気液混合水４９、４９となって、再度、河川、湖沼、海湾などの前記水２内に圧送放出され、この作用を繰り返しながら、大量に発生した超微細気泡により水質浄化を図ることとなる。
【実施例３】
【００４１】  図８は、本発明に係る実施例３の水質浄化装置５９を示す図である。図８を参照して、この実施例３の水質浄化装置５９も、実施例１の水質浄化装置１と概略同様の構成であるが、相違個所としては、実施例１の水質浄化装置１において、特殊ノズル部３０が１個使いであるノズルユニット２６に対し、実施例３の水質浄化装置５９において、ノズルユニット６０に含まれる特殊ノズル部３０が３個使いであると共に、それに伴いエアーフィルター部５１も３個所、図示しない管継手を介して直接溶接して配設してあることも相違している。即ち、本発明に係る実施例３の水質浄化装置５９は、電源部５と、制御部６と、表示部９と、ポンプ部１０と、濾過器２０と、ノズルユニット６０と、３個所配設してあるエアーフィルター部５１、５１，５１とから構成されている。そして、実施例３において、実施例１と共通部分は、同一部材番号で示し、主に相違部分について説明し、その他は省略した概略の説明とする。【００４２】  図８を参照して、河川、湖沼、海湾などの水２を浄化する水質浄化装置５９について、その構成を説明する。実施例１の水質浄化装置１と同様に、実施例３の水質浄化装置５９は、水辺近くの陸上部分に前記管理小屋３を設置して、この管理小屋３の内部に、電源部５と、制御部６と、表示部９と、ポンプ部１０と、を収納し、このポンプ部１０は、ポンプ本体１１からなり、このポンプ本体１１には、吸入口１２と、吐出口１５と、を備えていて、この吸入口１２に連結されている吸水配管１３の端部の管フランジ１４を介して、水中にて、相手側の管フランジ２２ａを介して濾過器２０に接続されている。更に、実施例１と同様に、実施例３においても（図８参照）、吐出口１５には、水中にて、吐出水配管１６の端部の管フランジ１７を介して、相手側の管フランジ６３を介してノズルユニット６０に接続されていて、そのノズルユニット６０に含まれる３個使いの特殊ノズル部３０に各々エアーフィルター部５１、５１、５１を、図示しない管継手を介して直接溶接して配設して構成されている。そして、管理小屋３の正面に向かって右外側面部に、表示部９に含まれる表示ランプ９ａを備えている。勿論、正面の両開き扉４には、図示しない施錠装置が備えられている。【００４３】  前記したように、管理小屋３の右外側面部に、表示部９に含まれる表示ランプ９ａが設けられており、水質浄化装置５９が正常な稼働状態の場合には表示ランプ９ａが連続点灯し、水質浄化装置１に不具合個所が発生した場合には表示ランプ９ａが点滅するように制御される。これにより、水質浄化装置５９が、正常に稼働しているか否かを、外部から容易に視認可能である。更に、不具合時に、例えば、図示しないブザー等により警報音を発生させるように制御してもよいし、担当部署に無線通信によるアラーム発生を発信してもよいことは前記実施例１の水質浄化装置１と同様である。
更に、実施例１と同様に、実施例３においても（図８参照）水中の前記濾過器２０は、前記吸水配管１３の管フランジ１４の近傍にて、コンクリート製の第１の取付台５９ａに図示しないステンレスワイヤ等にて固定支持されている。そして、このノズルユニット６０は、後述するノズルユニット６０における、圧送水圧維持部６２の下面側に溶接して設けられている一対の取付用支持脚部６４の取付穴６４ｂ，６４ｂ各々に、図示しないステンレスワイヤなどを貫通させて、コンクリート製の第２の取付台５９ｂ上に固定支持されている。【００４４】  図９（ａ）〜図９（ｃ）は、本発明に係る実施例３の超微細気泡を含む圧送水を噴出するノズルユニット６０を示す。図９（ａ）はノズルユニット６０の正面図を示し、図９（ｂ）は、ノズルユニット６０の上面視の平面図を示し、図９（ｃ）は、ノズルユニット６０の右側面図を示す。詳述すると、図９（ａ）〜図９（ｃ）を参照して、超微細気泡を含む圧送水を噴出するノズルユニット６０の一端部には、管フランジ６３を備え、その中心部位に圧送水導入口６１ａを有している。この管フランジ６３及び中心部位の圧送水導入口６１ａの軸心が、両端部閉塞の直円筒容器状に形成されたやや太めの圧送水圧維持部６２の長手方向の中心部位にて垂直に連設しており、更に、この圧送水圧維持部６２においては、前記直円管状の圧送水導入管部６１ｂの軸心が垂直に連設配置された側面側に対抗する側面側において、垂直に連設するように、特殊ノズル取付用管状部材６２ａが、圧送水圧維持部６１ｃの両端部近傍部位と中央部位との３個所に、各々溶接にて取り付けられ、更に、この３個所の特殊ノズル取付用管状部材６２ａ内に、各々１個ずつ合計３個所の特殊ノズル部３０（図４参照）の各々一端部のノズル入り口側部３２を、嵌入連接し、各々溶接にて固着配置されている。即ち、ノズルユニット６０に、３個所の特殊ノズル部３０が配設されている訳である。そして、図８を参照して、この３個所の前記特殊ノズル部３０の上面部の、気体取入れ口３６ａを備えた突出部３６の各々に、前記したように各々１個ずつ合計３個のエアーフィルター部５１（図５参照）が、各々管継手５４を介して溶接されて直接配設されている。これにより、本発明に係る実施例３の水質浄化装置５９には、３個所のエアーフィルター部５１が、３個所の特殊ノズル部３０の各々に直接配設されている訳である。【００４５】  そして、図９を参照して、ノズルユニット６０において、一対の取付用支持脚部６４、６４が、圧送水圧維持部６２の下面側に溶接して設けられている。この取付用支持脚部６４においては、取付用支持脚部本体６４ａを、２個一組で溶接にて係着して、一個の取付用支持脚部６４を構成している。そして、取付用支持脚部本体６４ａには、１個の取付穴６４ｂが設けられており、ノズルユニット６０を、クレーンにより吊り上げたり運搬したり、取付時に、この取付穴６４ｂ，６４ｂにステンレスワイヤなどを貫通させて、ズレ防止や脱落防止を可能とする。【００４６】  図８を参照して、本発明に係る実施例３の水質浄化装置５９の概略動作を述べる。前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、ノズルユニット６０へと導水圧送され、３個所の特殊ノズル部３０内にて各々エアーフィルター部５１、５１，５１から導入され、各々空気案内管５３、５３，５３を経て取り込まれた空気を超微細気泡とし、ノズルユニット６０の３個所の特殊ノズル部３０、３０，３０の各々ノズル出口４３、４３，４３から、超微細気泡を含む気液混合水４９、４９，４９となって、再度、河川、湖沼、海湾などの前記水２内に圧送放出され、この作用を繰り返しながら、大量に発生した超微細気泡により水質浄化を図ることとなる。
【実施例４】
【００４７】  図１０は、本発明に係る実施例４の水質浄化装置６６を示す図である。図１０を参照して、実施例４の水質浄化装置６６は、実施例１の水質浄化装置１と概略同様の構成であるが、相違個所としては、実施例１の水質浄化装置１において、エアーフィルター部５１が水中のノズルユニット２６に、図示しない管継手を介して直接、特殊ノズル部３０の上側面部の気体取入れ口３６ａを備えた突出部３６に溶接されて配設されているのに対して、実施例４の水質浄化装置６６においては、エアーフィルター部５１を管理小屋３の内部に配設し、それに伴いエアーフィルター部５１における空気案内管５３の端部の管継手５４と、水中のノズルユニット２６に含まれる１個使用の特殊ノズル３０の気体取入れ口３６ａを有する突出部３６を、図示しないバレルニップル等の管継手を用いて、後述する第１のゴムホース（第１の空気用配管）８２にて空気用の配管がなされているところも相違している。そして、実施例４において、実施例１と共通部分は、同一部材番号で示し、主に相違部分について説明し、その他は省略した概略の説明とする。【００４８】  図１０を参照して、河川、湖沼、海湾などの水２を浄化する水質浄化装置６６について、その構成を説明する。実施例１の水質浄化装置１と同様に、実施例４の水質浄化装置６６は、水辺近くの陸上部分に前記管理小屋３を設置して、この管理小屋３の内部に、電源部５と、制御部６と、表示部９と、ポンプ部１０と、エアーフィルター部５１とを収納し、このポンプ部１０は、ポンプ本体１１からなり、このポンプ本体１１には、吸入口１２と、吐出口１５と、を備えていて、この吸入口１２に連結されている吸水配管１３の端部の管フランジ１４を介して、水中にて、相手側の管フランジ２２ａを介して濾過器２０に接続されている。更に、実施例１と同様に、実施例４においても（図１０を参照）、吐出口１５には、水中にて、吐出水配管１６の端部の管フランジ１７を介して、相手側の管フランジ２８を介してノズルユニット２６に接続されていて、そのノズルユニット２６に含まれる１個使いの特殊ノズル部３０に、第１のゴムホース（第１の空気用配管）８２を使用して、エアーフィルター部５１に接続して、実施例４の水質浄化装置６６を構成している。そして、管理小屋３の正面に向かって右外側面部に、表示部９に含まれる表示ランプ９ａを備えている。勿論、正面の両開き扉４には、図示しない施錠装置が備えられている。【００４９】  図１０を参照して、この実施例４の水質浄化装置６６も、実施例１の水質浄化装置１と概略同様の構成であるが、エアーフィルター部５１が、取付金具６７により管理小屋３の内部に配置されており、エアーフィルター部５１における空気案内管５３の端部の管継手５４と、ノズルユニット２６に１個使用の特殊ノズル３０の気体取入れ口３６ａを有する突出部３６とを図示しないバレルニップル等の管継手を用いて後述する第１のゴムホース（第１の空気用配管）８２にて空気用の配管がなされている訳である。【００５０】  図１１は空気用配管を示す説明図である。図１１（ａ）は、第１のゴムホース（第１の空気用配管）８２を示す。第１のゴムホース（第１の空気用配管）８２は、第１の空気用���管である。この第１のゴムホース（第１の空気用配管）８２は、上端の１個所の導入口から空気が導入されると、下方端の１個所の出口から空気が供給される。この第１のゴムホース（第１の空気用配管）８２の構成を説明すると、ゴムホース本体８２ａの両端部に管継手８２ｂ、８２ｂを各々嵌合して、更に、ゴムホース本体８２ａの両端部をホースバンド８３，８３で締着して、ゴムホース本体８２ａと管継手８２ｂの挿入部との嵌合個所が外れないようにしてある。尚、管継手８２ｂの一方端部は、ゴムホース部材に挿入する挿入部を形成し、他方端部は管用ネジを刻設して管継手部を形成していて、バレルニップル等の管継手を受け入れ可能とするものである。ゴムホース部材は、合成ゴム製であり、例えば、内径１０ｍｍのポリウレタン製のゴムホース部材とすることが可能である。【００５１】  図１０を参照して、本発明に係る実施例４の水質浄化装置６６の概略動作を述べる。動作は、本発明に係る実施例１の水質浄化装置１とほぼ同じであり、詳細説明は省略する。まず初めに、前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、ノズルユニット２６へと導水圧送され、特殊ノズル部３０内にてエアーフィルター部５１から導入され、第１のゴムホース（第１の空気用配管）８２を経て取り込まれた空気を超微細気泡とし、ノズルユニット２６の特殊ノズル部３０のノズル出口４３から、超微細気泡を含む気液混合水４９となって、再度、河川、湖沼、海湾などの前記水２内に圧送放出され、この作用を繰り返しながら、大量に発生した超微細気泡により水質浄化を図ることとなる。
【実施例５】
【００５２】  図１２は、本発明に係る実施例５の水質浄化装置６８を示す図である。図１２を参照して、この実施例５の水質浄化装置６８は、実施例２の水質浄化装置５５（図６参照）と概略同様の構成であるが、実施例２の水質浄化装置５５のエアーフィルター部５１は、水中のノズルユニット５６に含まれる２個使いの特殊ノズル部３０に夫々直接溶接されて配設されているのに対して、実施例５の水質浄化装置６８のエアーフィルター部５１が、取付金具６７により管理小屋３の内部に配置されており、このエアーフィルター部５１における空気案内管５３の端部の管継手５４と、水中のノズルユニット５６に含まれる２個所の特殊ノズル３０の各々の気体取入れ口３６ａを有する突出部３６を、図示しないバレルニップル等の管継手を用いて、後述する（図１１（ｂ）を参照）第２のゴムホース（第２の空気用配管）８４にて空気用配管の接続がなされているところが、直接接続の実施例２の水質浄化装置５５のエアーフィルター部５１の配設と相違している。実施例５において、実施例２と共通部分は、同一部材番号で示し、その詳細な説明は、一部省略し、主に相違する部分について説明する。【００５３】  図１２を参照して、河川、湖沼、海湾などの水２を浄化する水質浄化装置６８について、その構成を説明する。本発明に係る実施例５の水質浄化装置６８は、管理小屋３と、電源部５と、制御部６と、表示部９と、ポンプ部１０と、濾過器２０と、ノズルユニット５６と、エアーフィルター部５１と、第２のゴムホース８４とから構成されている。詳述すれば、実施例２の水質浄化装置５５と同様に、実施例５の水質浄化装置６８は、陸上部分に前記管理小屋３を設置している。この管理小屋３の正面に両開き扉４を有する、この管理小屋３の内部に、電源部５と、制御部６と、ポンプ部１０と、エアーフィルター部５１を収納していて、エアーフィルター部５１と、水中のノズルユニット５６を第２のゴムホース（第２の空気用配管）８４により空気用配管接続して構成されている。更に、管理小屋３の正面に向かって、管理小屋３の右外側面部に、表示部９に含まれる表示ランプ９ａを備えている。勿論、正面の両開き扉４には、図示しない施錠装置が備えられている。【００５４】  前記したように、図１１は空気用配管を示す説明図である。図１１（ｂ）は、第２のゴムホース（第２の空気用配管）８４を示す図である。この第２のゴムホース（第２の空気用配管）８４は、上端に管継手８２ｂを、管用ネジを刻設した管継手部を上向きにし、ゴムホース部材に挿入する挿入部を下向きにして配設し、この挿入部に、所定の長さのゴムホース本体８４ａの上端部位を挿入し、そのゴムホース本体８４ａの上端部位をホースバンド８３で締着し、更に、ゴムホース本体８４ａの下端部位を分岐管継手８５の入り口側のゴムホース部材に挿入する挿入部に挿入し、そのゴムホース本体８４ａの下端部位をホースバンド８３で締着し、更に、前記分岐管継手８５の一方の分岐端の出口側のゴムホース部材に挿入する挿入部にゴムホース本体８４ｂの上端部位を嵌着し、そのゴムホース本体８４ｂの上端部位をホースバンド８３で締着し、更に、ゴムホース本体８４ｂの下端部位に、一方の下端の管継手８２ｂのゴムホース部材の挿入部を挿入し、そのゴムホース本体８４ｂの下端部位をホースバンド８３で締着して、第２のゴムホース（第２の空気用配管）８４の一方の下端の空気給送口を形成する。同様に、前記分岐管継手８５の他方の分岐端の出口側のゴムホース部材に挿入する挿入部にゴムホース本体８４ｃの上端部位を嵌着し、そのゴムホース本体８４ｃの上端部位をホースバンド８３で締着し、そして、ゴムホース本体８４ｃの下端部位に、他方の下端の管継手８２ｂのゴムホース部材の挿入部を挿入し、そのゴムホース本体８４ｃの下端部位をホースバンド８３で締着して、第２のゴムホース（第２の空気用配管）８４の他方の下端の空気給送口を形成する。このようにして、第２のゴムホース（第２の空気用配管）８４が構成されている。【００５５】  この第２のゴムホース（第２の空気用配管）８４により、上端部の管継手８２ｂの導入口にエアーフィルター部５１に含まれる空気案内管５３の端部の管継手５４を、図示しないバレルニップル等の管継手を用いて接続し、ここから空気が導入され、途中で分岐管継手８５を介して、下方端部の２個所の出口である管継手８２ｂ，８２ｂを、図示しない管継手を介して、ノズルユニット５６に含まれる２個所の特殊ノズル３０の各々の気体取入れ口３６ａに接続された管路経由して空気が供給され、２個所の特殊ノズル３０、３０内に取り込まれた空気を超微細気泡とし、ノズルユニット５６の２個所の特殊ノズル部３０、３０の各々ノズル出口４３、４３から、超微細気泡を含む気液混合水４９、４９となって、再度、河川、湖沼、海湾などの前記水２内に圧送放出され、この作用を繰り返しながら、大量に発生した超微細気泡により水質浄化を図ることとなる。【００５６】  図１２を参照して、本発明に係る実施例５の水質浄化装置６８の概略動作を述べる。動作は、本発明に係る実施例２の水質浄化装置５５とほぼ同じであり、詳細説明は省略する。まず初めに、前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、ノズルユニット５６へと導水圧送された圧送水流に誘引され、ノズルユニット５６に含まれる２個所の特殊ノズル部３０、３０内に取り込まれた空気、即ち、エアーフィルター部５１から導入され、第２のゴムホース（第２の空気用配管）８４を経て取り込まれた空気を、ノズルユニット５６に含まれる２個所の特殊ノズル部３０、３０内にて超微細気泡とし、ノズルユニット２６の２個所の特殊ノズル部３０、３０の各々ノズル出口４３、４３から、超微細気泡を含む気液混合水４９、４９となって、再度、河川、湖沼、海湾などの前記水２内に圧送放出され、この作用を繰り返しながら、大量に発生した超微細気泡により水質浄化を図ることとなる。
【実施例６】
【００５７】  図１３は、本発明に係る実施例６の水質浄化装置６９を示す図である。図１３を参照して、この実施例６の水質浄化装置６９は、実施例３の水質浄化装置５９（図８を参照）と概略同様の構成であるが、実施例３の水質浄化装置５９のエアーフィルター部５１が、水中のノズルユニット６０に含まれる３個使いの特殊ノズル３０に、夫々図示しない管継手を介して直接溶接されて配設されているのに対して、実施例６の水質浄化装置６９のエアーフィルター部５１は、取付金具６７により管理小屋３の内部に配置されており、このエアーフィルター部５１における空気案内管５３の端部の管継手５４と、水中のノズルユニット６０に含まれる３個所の特殊ノズル３０の各々の気体取入れ口３６ａを有する突出部３６を、図示しないバレルニップル等の管継手を用いて、後述する（図１１（ｃ）を参照）第３のゴムホース（第３の空気用配管）８７にて空気用の配管接続がなされているところが、直接溶接接続の実施例３の水質浄化装置５９のエアーフィルター部５１の配設と相違している。実施例６において、実施例３と共通部分は、同一部材番号で示し、その詳細な説明は、一部省略し、主に相違する部分について説明する。【００５８】  図１３を参照して、河川、湖沼、海湾などの水２を浄化する水質浄化装置６９について、その構成を説明する。本発明に係る実施例６の水質浄化装置６９は、管理小屋３と、電源部５と、制御部６と、表示部９と、ポンプ部１０と、濾過器２０と、ノズルユニット６０と、エアーフィルター部５１と、第３のゴムホース（第３の空気用配管）８７とから構成されている。
詳述すれば、実施例３の水質浄化装置５９と同様に、実施例６の水質浄化装置６９は、陸上部分に管理小屋３を設置している。この管理小屋３の正面に両開き扉４を有する、この管理小屋３の内部に、電源部５と、制御部６と、ポンプ部１０と、エアーフィルター部５１とを収納していて、エアーフィルター部５１と、水中のノズルユニット６０を第３のゴムホース（第３の空気用配管）８７により空気用配管接続して構成されている。更に、管理小屋３の正面に向かって、管理小屋３の右外側面部に、表示部９に含まれる表示ランプ９ａを備えている。勿論、正面の両開き扉４には、図示しない施錠装置が備えられている。【００５９】  前記したように、図１１は空気用の配管を示す説明図である。図１１（ｃ）は、第３のゴムホース（第３の空気用配管）８７を示す図である。この第３のゴムホース（第３の空気用配管）８７は、上方端部に１個所の空気導入口となる管継手８２ｂを、管用ネジを刻設した管継手部を上向きにし、ゴムホース部材に挿入する挿入部を下向きにして配設し、この挿入部に、所定の長さのゴムホース本体８７ａの上端部位を挿入し、そのゴムホース本体８７ａの上端部位をホースバンド８３で締着し、更に、ゴムホース本体８７ａの下端部位を、一段目の分岐管継手８５の入り口側のゴムホース部材に挿入する挿入部に挿入し、そのゴムホース本体８７ａの下端部位をホースバンド８３で締着し、更に、前記一段目の分岐管継手８５の一方の分岐端の出口側のゴムホース部材に挿入する挿入部に、ゴムホース本体８７ｂの上端部位を嵌着し、そのゴムホース本体８７ｂの上端部位をホースバンド８３で締着し、更に、ゴムホース本体８７ｂの下端部位に、一方の下端の管継手８２ｂのゴムホース部材の挿入部を挿入し、そのゴムホース本体８７ｂの下端部位をホースバンド８３で締着して、第３のゴムホース（第３の空気用配管）８７に含まれる他方の下端の空気給送口（例えば空気導出口１）を形成する。同様に、前記一段目の分岐管継手８５の他方の分岐端の出口側のゴムホース部材に挿入する挿入部にゴムホース本体８７ｃの上端部位を嵌着し、そのゴムホース本体８４ｃの上端部位をホースバンド８３で締着し、更に、ゴムホース本体８７ｃの下端部位に、二段目の分岐管継手８５の入り口側のゴムホース部材に挿入する挿入部に挿入し、そのゴムホース本体８７ｃの下端部位をホースバンド８３で締着し、更に、二段目の分岐管継手８５の一方の分岐端の出口側のゴムホース部材に挿入する挿入部に、ゴムホース本体８７ｄの上端部位を嵌着し、そのゴムホース本体８７ｄの上端部位をホースバンド８３で締着し、更に、ゴムホース本体８７ｄの下端部位に、他方の下端の管継手８２ｂのゴムホース部材の挿入部を挿入し、そのゴムホース本体８７ｄの下端部位をホースバンド８３で締着して、第３のゴムホース（第３の空気用配管）８７に含まれる他方の下端の空気給送口（例えば空気導出口２）を形成する。同様に、二段目の分岐管継手８５の他方の分岐端の出口側のゴムホース部材に挿入する挿入部に、ゴムホース本体８７ｅの上端部位を嵌着し、そのゴムホース本体８７ｅの上端部位をホースバンド８３で締着し、更に、ゴムホース本体８７ｅの下端部位に、他方の下端の管継手���２ｂのゴムホース部材の挿入部を挿入し、そのゴムホース本体８７ｅの下端部位をホースバンド８３で締着して、第３のゴムホース（第３の空気用配管）８７に含まれる他方の下端の空気給送口（例えば空気導出口３）を形成する。
このようにして、一方端部に１個所の空気導入口を備え、他方端部に３個所の空気導出口を備えた第３のゴムホース（第３の空気用配管）８７が構成されている訳である。【００６０】  前記したように、図１１（ｃ）と図１３を参照して、この第３のゴムホース（第３の空気用配管）８７は、上方端部の１個所の空気導入口である管継手８２ｂから空気が導入されると、途中で２個所の分岐管継手８５、８５を介して、下方端部の３個所の出口（空気導出口１、２、３）である管継手８２ｂ，８２ｂ、８２ｂから空気が、ノズルユニット６０に含まれる３個所の特殊ノズル部３０、３０、３０の気体取入れ口（空気取入れ口）３６ａ，３６ａ，３６ａに配管接続されて、空気が供給される。【００６１】  図１３を参照して、本発明に係る実施例６の水質浄化装置６９の概略動作を述べる。動作は、本発明に係る実施例３の水質浄化装置５９とほぼ同じであり、詳細説明は省略する。まず初めに、前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、ノズルユニット６０へと導水圧送された圧送水流に、ノズルユニット６０に含まれる３個所の特殊ノズル部３０、３０、３０内にて、即ち、エアーフィルター部５１から導入され、第３のゴムホース（第３の空気用配管）８７を経て取り込まれた空気を３個所の特殊ノズル部３０、３０、３０内にて超微細気泡とし、ノズルユニット６０の３個所の特殊ノズル部３０、３０、３０のノズル出口４３、４３、４３から、超微細気泡を含む気液混合水４９、４９、４９となって、再度、河川、湖沼、海湾などの前記水２内に圧送放出され、この作用を繰り返しながら、大量に発生した超微細気泡により水質浄化を図ることとなる。
【実施例７】
【００６２】  図１４は、本発明に係る実施例７の水質浄化装置７２を示す図である。図１４を参照して、この実施例７の水質浄化装置７２において、ノズルユニット２６が実施例１の水質浄化装置１や、実施例４の水質浄化装置６６における、ノズルユニット２６と同一であり、ノズルユニット２６に含まれる特殊ノズル部３０が１個備わったものである。そして、後述するが、エアーフィルター部５１が、箱舟型の浮島７４にエアーフィルター部止め金具７７により取り付けられて配設されている。エアーフィルター部５１とノズルユニット２６に含まれる特殊ノズル部３０を第１のゴムホース（第１の空気用配管）８２により空気用配管接続されている。【００６３】  水質浄化装置７２の概略の構成を述べると、図１４を参照して、水質浄化装置７２は、管理小屋３と、電源部５と、制御部６と、表示部９と、ポンプ部１０と、濾過器２０と、ノズルユニット２６と、箱舟型の浮島７４に設けられたエアーフィルター部５１と、第１のゴムホース（第１の空気用配管）８２とから構成されている。
詳述すれば、水質浄化装置７２は、水辺近くの陸上部分に管理小屋３を設置している。この管理小屋３の正面に両開き扉４を有する、この管理小屋３の内部に、電源部５と、制御部６と、表示部９と、ポンプ部１０と、を収納し、水中に濾過器２０と、ノズルユニット２６を配設し、箱舟型の浮島７４にエアーフィルター部止め金具７７により取り付けられエアーフィルター部５１と、第１のゴムホース（第１の空気用配管）８２と備えている。更に、管理小屋３の右外側面部に、後述する表示部９に含まれる表示ランプ９ａを備えている。勿論、正面の両開き扉４には、図示しない施錠装置が備えられている。【００６４】  説明が重複するが、実施例７のポンプ部１０は、陸上に設置された管理小屋３の内部に収容された状態である。そして、ポンプ部１０は、ポンプ本体１１からなり、このポンプ本体１１には、吸入口１２と、吐出口１５と、を備えていて、この吸入口１２に連結されている吸水配管１３の端部の管フランジ１４を介して、水中にて、相手側の管フランジ２２ａにて、濾過器２０に接続されている。ところで、水中の前記濾過器２０は、前記吸水配管１３の管フランジ１４の近傍にて、コンクリート製の第１の取付台５９ａに図示しないステンレスワイヤ等にて固定支持されている。吐出口１５には、水中にて、吐出水配管１６の端部の管フランジ１７を介して、相手側の管フランジ２８にて、ノズルユニット２６に接続されている。そして、このノズルユニット２６は、コンクリート製の第２の取付台５９ｂに図示しないステンレスワイヤ等にて固定支持されている。【００６５】  エアーフィルター部５１は、箱舟型の浮島７４にエアーフィルター部止め金具７７に取り付けられて配設されている。箱舟型の浮島７４は、浮島枠体７４ａと、４個のボンベ型フロート７５と、２個の係留綱留め具７４ｂと、エアーフィルター部止め金具７７とを備え、このエアーフィルター部止め金具７７によりエアーフィルター部５１を浮島枠体７４ａに固定しており、そして、エアーフィルター部５１の空気案内管５３と、第１のゴムホース（第１の空気用配管）８２の一端部位とを、管継手７８を介して接続し、更に、ホース押さえ金具８１に支持された第１のゴムホース（第１の空気用配管）８２の他端部位を、ノズルユニット２６に含まれる１個所の特殊ノズル部３０の突出部３６に設けた気体取入れ口３６ａに、図示しない管継手を介して接続配管してある。そして、下端部にコンクリートウエート７９を備えた係留綱８０を各々２個所設けて、前記２個の係留綱留め金具７４ｂにより浮島枠体７４ａに固着して、箱舟型の浮島７４が、水面上にて定点位置を保つように、構成してある。【００６６】  図１４を参照して、本発明に係る実施例７の水質浄化装置７２の概略動作を述べる。動作は、本発明に係る実施例１の水質浄化装置１とほぼ同じであり、詳細説明は省略する。まず初めに、前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、圧送水がノズルユニット２６へと導水圧送され、この圧送水に誘発されて、箱舟型の浮島７４に設けられたエアーフィルター部５１から管継手７８を介して接続され、ホース押さえ金具８１に支持された第１のゴムホース（第１の空気用配管）８２を経て取り込まれた空気が、更に、ノズルユニット２６に含まれる１個使いの特殊ノズル部３０の気体取入れ口３６ａを有する突出部３６を図示しないバレルニップル等の管継手を用いて配管接続されて導入された空気が、ノズルユニット２６の特殊ノズル部３０内にて超微細気泡とされて圧送水流に混合されて、超微細気泡を含む気液混合水４９となって、ノズルユニット２６から、再度、河川、湖沼、海湾などの前記水２内に圧送放出され、大量に発生した超微細気泡によりこの作用を繰り返しながら水質浄化を図ることとなる。
【実施例８】
【００６７】  図１５は、本発明に係る実施例８の水質浄化装置９０を示す図である。図１５を参照して、この実施例８の水質浄化装置９０において、ノズルユニット５６が実施例２の水質浄化装置５５や、実施例５の水質浄化装置６８における、ノズルユニット５６と同一であり、ノズルユニット５６に含まれる特殊ノズル部３０が２個所備わったものである。そして、後述するが、エアーフィルター部５１が、箱舟型の浮島７４にエアーフィルター部止め金具７７により取り付けられて配設されている。エアーフィルター部５１とノズルユニット２６に含まれる２個所の特殊ノズル部３０を第２のゴムホース８４（第２の空気用配管）により配管接続されている。【００６８】  水質浄化装置９０の概略の構成を述べると、図１５を参照して、水質浄化装置９０は、管理小屋３と、電源部５と、制御部６と、表示部９と、ポンプ部１０と、濾過器２０と、ノズルユニット５６と、箱舟型の浮島７４に設けられたエアーフィルター部５１と、第２のゴムホース（第２の空気用配管）８４とから構成されている。
詳述すれば、水質浄化装置９０は、水辺近くの陸上部分に管理小屋３を設置している。この管理小屋３の正面に両開き扉４を有する、この管理小屋３の内部に、電源部５と、制御部６と、表示部９と、ポンプ部１０と、を収納し、水中に濾過器２０と、ノズルユニット５６を配設し、箱舟型の浮島７４にエアーフィルター部止め金具７７により取り付けられエアーフィルター部５１と、第２のゴムホース（第２の空気用配管）８４と備えている。更に、管理小屋３の右外側面部に、後述する表示部９に含まれる表示ランプ９ａを備えている。勿論、正面の両開き扉４には、図示しない施錠装置が備えられている。【００６９】  説明が重複するが、実施例８のポンプ部１０は、陸上に設置された管理小屋３の内部に収容された状態である。そして、ポンプ部１０は、ポンプ本体１１からなり、このポンプ本体１１には、吸入口１２と、吐出口１５と、を備えていて、この吸入口１２に連結されている吸水配管１３の端部の管フランジ１４を介して、水中にて、相手側の管フランジ２２ａにて、濾過器２０に接続されている。ところで、水中の前記濾過器２０は、前記吸水配管１３の管フランジ１４の近傍にて、コンクリート製の第１の取付台５９ａに図示しないステンレスワイヤ等にて固定支持されている。
吐出口１５には、水中にて、吐出水配管１６の端部の管フランジ１７を介して、相手側の管フランジ５８にて、ノズルユニット５６に接続されている。そして、このノズルユニット５６は、コンクリート製の第２の取付台５９ｂに図示しないステンレスワイヤ等にて固定支持されている。【００７０】  箱舟型の浮島７４は、浮島枠体９２ａと、４個のボンベ型フロート７５と、２個の係留綱留め具７４ｂと、エアーフィルター部止め金具７７とを備え、このエアーフィルター部止め金具７７によりエアーフィルター部５１を浮島枠体７４ａに固定しており、そして、エアーフィルター部５１の空気案内管５３と、第２のゴムホース（第２の空気用配管）８４の一端部位とを、管継手９６を介して接続し、更に、この第２のゴムホース８４の２個所に分岐した他端部位の各々に、ノズルユニット５６に含まれる２個所の特殊ノズル部３０の突出部３６に設けた気体取入れ口３６ａ各々に、図示しない管継手を介して各々接続配管してある。そして、先端にコンクリートウエート７９を備えた係留綱８０を２個設けて、前記２個の係留綱留め金具７４ｂにより浮島枠体７４ａに固着して、箱舟型の浮島７４が、水面上にて定点位置を保つように、構成してある。【００７２】  図１５を参照して、本発明に係る実施例８の水質浄化装置９０の概略動作を述べる。動作は、本発明に係る実施例２の水質浄化装置５５や、実施例５の水質浄化装置６８とほぼ同じであり、詳細説明は省略する。まず初めに、前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、圧送水がノズルユニット５６へと導水圧送され、この圧送水に誘発されて、箱舟型の浮島７４に設けられたエアーフィルター部５１から管継手７８を介して接続され、ホース押さえ金具８１に支持された第２のゴムホース（第２の空気用配管）８４の空気導入口から途中二股に分岐してなる空気給送口の各々から空気が、更に、ノズルユニット５６に含まれる２個使いの特殊ノズル部３０の気体取入れ口３６ａを有する突出部３６の各々に図示しないバレルニップル等の管継手を用いて配管接続されて導入された空気が、ノズルユニット５６に含まれる２個所の特殊ノズル部３０内の各々にて、超微細気泡とされて圧送水流に混合されて、超微細気泡を含む気液混合水４９となって、ノズルユニット５６から、再度、河川、湖沼、海湾などの前記水２内に圧送放出され、大量に発生した超微細気泡によりこの作用を繰り返しながら水質浄化を図ることとなる。
【実施例９】
【００７３】  図１６は、本発明に係る実施例９の水質浄化装置１００を示す図である。図１６を参照して、この実施例９の水質浄化装置１００は、ノズルユニット６０が実施例３の水質浄化装置５９や、実施例６の水質浄化装置６９における、ノズルユニット６０と同一であり、ノズルユニット６０に含まれる特殊ノズル部３０が３個備わったものである。そして、後述するが、エアーフィルター部５１が、箱舟型の浮島７４にエアーフィルター部止め金具７７により取り付けられて配設されている。エアーフィルター部５１とノズルユニット６０に含まれる３個所の特殊ノズル部３０を第３のゴムホース（第３の空気用配管）８７により配管接続されている。ところで、既に説明済みであるが、実施例３の水質浄化装置５９（図８参照）には、３個所のエアーフィルター部５１が、３個所の特殊ノズル部３０の各々に直接配設されているところが、実施例９の水質浄化装置１００と相違している。更に、実施例６の水質浄化装置６９（図１３参照）には、管理小屋３内に設けられたエアーフィルター部５１に含まれる管継手５４に、バレルニップル等の管継手を用いて、第３のゴムホース（第３の空気用配管）８７の一方端部に１個所の空気導入口に接続し、更に、この第３のゴムホース（第３の空気用配管）８７の他方端部の３個所の空気導出口の各々に、水中のノズルユニット６０に含まれる３個所使用の特殊ノズル３０の気体取入れ口３６ａを有する突出部３６の各々に、図示しないバレルニップル等の管継手を用いて配管接続して、第３のゴムホース（第３の空気用配管）８７を用いて、エアーフィルター部５１と３個所使用の特殊ノズル３０を有するノズルユニット６０に空気用の配管がなされているところが、実施例９の水質浄化装置１００と相違している。即ち、実施例９の水質浄化装置１００では、エアーフィルター部５１が、箱舟型の浮島７４にエアーフィルター部止め金具７７により取り付けられて配設されていて、このエアーフィルター部５１とノズルユニット６０に含まれる３個所の特殊ノズル部３０を第３のゴムホース（第３の空気用配管）８７により配管接続されていて、微妙に相違している訳である。【００７４】  水質浄化装置１００の概略の構成を述べると、図１６を参照して、水質浄化装置１００は、管理小屋３と、電源部５と、制御部６と、表示部９と、ポンプ部１０と、濾過器２０と、ノズルユニット６０と、箱舟型の浮島７４に設けられたエアーフィルター部５１と、第３のゴムホース（第３の空気用配管）８７とから構成されている。
詳述すれば、水質浄化装置１００は、水辺近くの陸上部分に管理小屋３を設置している。この管理小屋３の正面に両開き扉４を有する、この管理小屋３の内部に、電源部５と、制御部６と、ポンプ部１０と、を収納し、水中に濾過器２０と、ノズルユニット６０を配設し、箱舟型の浮島７４にエアーフィルター部止め金具７７により取り付けられエアーフィルター部５１と、第３のゴムホース（第３の空気用配管）８７と備えている。更に、管理小屋３の右外側面部に、後述する表示部９に含まれる表示ランプ９ａを備えている。勿論、正面の両開き扉４には、図示しない施錠装置が備えられている。【００７５】  説明が重複するが、実施例９のポンプ部１０は、水辺近くの陸上に設置された管理小屋３の内部に収容された状態である。そして、ポンプ部１０は、ポンプ本体１１からなり、このポンプ本体１１には、吸入口１２と、吐出口１５と、を備えていて、この吸入口１２に連結されている吸水配管１３の端部の管フランジ１４を介して、水中にて、相手側の管フランジ２２ａにて、濾過器２０に接続されている。ところで、水中の前記濾過器２０は、前記吸水配管１３の管フランジ１４の近傍にて、コンクリート製の第１の取付台５９ａに図示しないステンレスワイヤ等にて固定支持されている。
吐出口１５には、水中にて、吐出水配管１６の端部の管フランジ１７を介して、相手側の管フランジ６３にて、ノズルユニット６０に接続されている。そして、このノズルユニット６０は、コンクリート製の第２の取付台５９ｂに図示しないステンレスワイヤ等にて固定支持されている。【００７６】  箱舟型の浮島７４は、浮島枠体７４ａと、４個のボンベ型フロート７５と、２個の係留綱留め具７４ｂと、エアーフィルター部止め金具７７とを備え、このエアーフィルター部止め金具７７によりエアーフィルター部５１を浮島枠体７４ａに固定しており、そして、エアーフィルター部５１の空気案内管５３と、第３のゴムホース（第３の空気用配管）８７の一端部位とを、管継手７８を介して接続し、更に、この第３のゴムホース（第３の空気用配管）８７の３個所に分岐した他端部位の各々と、ノズルユニット６０に含まれる３個所の特殊ノズル部３０の各々突出部３６に設けた気体取入れ口３６ａとを、図示しない管継手を介して各々接続配管してある。そして、先端にコンクリートウエート７９を備えた係留綱８０を２個所設けて、前記２個の係留綱留め金具７４ｂにより浮島枠体７４ａに固着して、箱舟型の浮島７４が、水面上にて定点位置を保つように、構成してある。【００７７】  図１６を参照して、本発明に係る実施例９の水質浄化装置１００の概略動作を述べる。動作は、実施例３の水質浄化装置５９や、実施例６の水質浄化装置６９とほぼ同じであり、詳細説明は省略する。まず初めに、前記濾過器２０の籠状フィルター部２３の底面部２３ｂと円筒側面編み目部２３ａを通し、河川、湖沼、海湾などの水２が、ポンプ部１０に吸引導入され、吸水配管１３を経由し、吸入口１２から、ポンプ本体１１を経て付勢され、更に、吐出口１５を経て、吐出水配管１６に導水圧送され、圧送水がノズルユニット６０へと導水圧送され、この圧送水に誘発されて、箱舟型の浮島７４に設けられたエアーフィルター部５１から管継手７８を介して接続され、ホース押さえ金具８１に支持された第３のゴムホース（第３の空気用配管）８７の空気導入口から途中３個所に分岐してなる空気給送口の各々から導出される空気が、更に、ノズルユニット６０に含まれる３個使いの特殊ノズル部３０の気体取入れ口３６ａを有する突出部３６の各々に図示しないバレルニップル等の管継手を用いて配管接続されて導入された空気が、ノズルユニット６０に含まれる３個所の特殊ノズル部３０内の各々にて、超微細気泡とされて圧送水流に混合されて、超微細気泡を含む気液混合水４９となって、ノズルユニット６０に含まれる３個所の特殊ノズル部３０のノズル出口側部４１から、再度、河川、湖沼、海湾などの前記水２内に圧送放出され、大量に発生した超微細気泡によりこの作用を繰り返しながら水質浄化を図ることとなる。
【実施例１０】
【００７８】  図１７は、本発明に係る実施例１０の水質浄化装置１１０を示す図である。図１７を参照して、この実施例１０の水質浄化装置１１０は、実施例７の水質浄化装置７２（図１４参照）や、実施例８の水質浄化装置９０（図１５参照）や、実施例９の水質浄化装置１００（図１６参照）における、エアーフィルター部５１が箱舟型の浮島７４に設けてあるのが類似している。しかし、この実施例１０の水質浄化装置１１０は、エアーフィルター部５１と、ポンプ部１０と、を箱舟型の浮島７４に配設しているところが相違している。しかもノズルユニットに含まれる特殊ノズル部３０が６個備わったものである。
概略述べれば、水質浄化装置１１０は、水辺近くの陸上部分に管理小屋３を設置している。この管理小屋３の正面に両開き扉４を有する、この管理小屋３の内部に、電源部５と、制御部６と、表示部９と、を収納し、箱舟型の浮島７４にポンプ部１０と、エアーフィルター部５１と、第４のゴムホース（第４の空気用配管）１３０と、を備えている。更に、管理小屋３の右外側面部に、後述する表示部９に含まれる表示ランプ９ａを備えている。勿論、正面の両開き扉４には、図示しない施錠装置が備えられている。【００７９】  図１７を参照して、箱舟型の浮島７４は、浮島枠体７４ａと、４個のボンベ型フロート７５とから成り、浮島枠体７４ａには、ポンプ部１０が図示しないボルト等により固定されており、ポンプ部１０は、ポンプ本体１１からなり、このポンプ本体１１には、吸入口１２と、吐出口１５と、を備えていて、この吸入口１２に連結されている吸水配管１３の端部の管フランジ１４を介して、水中にて、相手側の管フランジ２２ａにて、濾過器２０に接続されている。吐出口１５には、水中にて、吐出水配管１６の端部の管フランジ１７を介して、相手側の管フランジ５８にて、ノズルユニット１１５に接続されている。
更に、浮島枠体７４ａには、エアーフィルター部止め金具７７を備え、このエアーフィルター部止め金具７７によりエアーフィルター部５１を浮島枠体７４ａに固定しており、そして、エアーフィルター部５１に含まれる空気案内管５３の管継手５４に、バレルニップル等の管継手を用いて、後述する第４のゴムホース（第４の空気用配管）１３０の一端部位とを接続し、更に、この第４のゴムホース（第４の空気用配管）１３０の６個所に分岐した他端部位の各々と、ノズルユニット１１５に含まれる６個所の特殊ノズル部３０の各々突出部３６に設けた気体取入れ口３６ａとを、図示しない管継手を介して各々接続配管してある。
そして、箱舟型の浮島７４において、浮島枠体７４ａの側面部に、２個の係留綱留め具７４ｂを設けて、この係留綱留め具７４ｂに、先端にコンクリートウエート７９を備えた係留綱８０の２組を各々捲着させて設けて、箱舟型の浮島７４が、水面上にて定点位置を保つように、構成してある。そして、管理小屋３内に配設してある電源部５と制御部６と、箱舟型の浮島７４に配設しているポンプ部１０とを接続する電源線１８と制御信号線１９とが、配線されており、箱舟型の浮島７４の浮島枠体７４ａの上方にカバー部材７４ｃが設けられており、風雨から箱舟型の浮島７４内部を保護可能とする。【００８０】  図１８は、本発明に係る実施例１０の水質浄化装置１１０に使用されて、超微細気泡を含む圧送水を噴出するノズルユニット１１５を示す図である。図１８（ａ）は、ノズルユニット１１５の正面上方からの外観斜視図であり、図１８（ｂ）は、ノズルユニット１１５の正面上方からの分解斜視図である。図１８を参照して、ノズルユニット１１５の構成を説明する。上端部に、ボス付きのフランジ部１１８を配設し、このボス付きのフランジ部１１８の上端面部にフランジ部本体１１８ａが中心穴部１１８ｂとその周囲に４個の取付ボルト用孔を配置し、裏面側の下方端部にボス部１１８ｃを設けて成る。次に、前記中心穴部１１８ｂに嵌合する所定の長さのパイプ部材１１９が設けられ、このパイプ部材１１９の中心部に中心穴１１９ａを有する。次に、前記パイプ部材１１９の下方端部に、補助リング１２０が配置され、その補助リング１２０の中心穴１２０ａに前記パイプ部材１１９の下方端部が嵌合配置されて補強支持の役割をすることになる。更に、その下方に段付き蓋１２１が中心部に前記パイプ部材１１９の下方端部が突き当てられて溶接される段付き穴部１２１ａを有して配設され、更に、この段付き蓋１２１の周縁部の下端面部に切り欠き凹部１２１ｂが設けられている（図１８のＸ−Ｘ矢視断面図参照）。更に、その下方に有底円筒容器１２３が配置される。この有底円筒容器１２３には、上端開口部１２３ａと、円筒側面部１２３ｃに６個の特殊ノズル取付用孔１２３ｄが配設されている。そして、この上端開口部１２３ａに、前記段付き蓋１２１の周縁部の下端面部の切り欠き凹部１２１ｂが嵌着されてから、この周縁部を溶接する。更に、前記６個の特殊ノズル取付用孔１２３ｄに、各々特殊ノズル３０のノズル入り口側部３２（図４参照）が所定の深さにて挿入溶接されている。このようにしてノズルユニット１１５が構成されている。【００８１】  前記のようにしてノズルユニット１１５が構成されている。即ち、ノズルユニット１１５は、上端部にボス付きのフランジ部１１８を配設し、その下方にパイプ部材１１９が溶接配設され、更に、前記パイプ部材１１９の下方端部が段付き蓋１２１の中心部段付き穴部１２１ａに突き当て溶接されて配設されると共に、突き当て溶接部の補強のために、補助リング１２０が嵌合溶接されている。そして、段付き蓋１２１が上端開口部１２３ａに嵌着されて、その周縁部が溶接されて有底円筒容器１２３が蓋をされた状態となり、ポンプ部１０に圧送されて、フランジ部１１８の中心穴部１１８ｂから圧送導入された圧送水を収容しつ��、その圧送水の圧力保持部としての機能を果たす、即ち、段付き蓋１２１が上端開口部１２３ａに嵌着され溶接された有底円筒容器１２３が、圧送水圧維持部１２３ｅとなる。そして、有底円筒容器１２３に溶接され取付られている６個所の特殊ノズル３０内にてエアーフィルター部５１から導入され、第４のゴムホース（第４の空気用配管）１３０を経て取り込まれた空気を超微細気泡とし、ノズルユニット１１５の６個所の特殊ノズル部３０のノズル出口４３各々から、超微細気泡を含む気液混合水４９となって、再度、河川、湖沼、海湾などの前記水２内に圧送放出され、この作用を繰り返しながら、大量に発生した超微細気泡により水質浄化を図ることとなる。【００８２】  図１９は、第４のゴムホース（第４の空気用配管）１３０を示す図である。第４のゴムホース（第４の空気用配管）１３０の構成を説明する。図１９を参照して、この第４のゴムホース（第４の空気用配管）１３０は、上方端部に１個所の空気導入口となる管継手１３１を、管用ネジを刻設した管継手部を上向きにし、ゴムホース部材に挿入する挿入部を下向きにして配設し、この挿入部に、所定の長さの第１のゴムホース本体１３２の上端部位を挿入し、その第１のゴムホース本体１３２の上端部位をホースバンド１３３で締着し、そして、第１のゴムホース本体１３２の下端部位に、一段目の分岐配管継手１３４の入り口側のゴムホース部材に挿入する挿入部を挿入し、その第１のゴムホース本体１３２の下端部位をホースバンド１３３で締着し、更に、前記一段目の分岐配管継手１３４の一方の分岐端の出口側のゴムホース部材に挿入する挿入部を、第２のゴムホース本体１３５の上端部位に嵌着し、その第２のゴムホース本体１３５の上端部位をホースバンド１３３で締着し、更に、第２のゴムホース本体１３５の下端部位に、左方分岐の第２段目の分岐配管継手１３４の入り口側のゴムホース部材に挿入する挿入部を挿入し、第２のゴムホース本体１３５の下端部位をホースバンド１３３で締着し、更に、左方分岐の第２段目の分岐配管継手１３４の一方の分岐端の出口側のゴムホース部材に挿入する挿入部に、第３のゴムホース本体１３６ａの上端部位を嵌着し、その第３のゴムホース本体１３６ａの上端部位をホースバンド１３３で締着し、更に、第３のゴムホース本体１３６ａの下端部位を、管用ネジを刻設した管継手部を下向きにし、ゴムホース部材に挿入する挿入部を上向きにして配設された管継手１３１のゴムホース部材に挿入する挿入部に挿入して、上方端部に１個所の空気導入口となる管継手１３１を、管用ネジを刻設した管継手部を下向きにし、ゴムホース部材に挿入する挿入部を上向きにして配設される管継手１３１のゴムホース部材に挿入する挿入部に、この挿入部に、所定の長さの第１のゴムホース本体１３２の上端部位を挿入し、その第３のゴムホース本体１３６ａの下端部位をホースバンド１３３で締着して６個所ある内の空気導出口１が形成される。
同様に、左方の分岐の第２段目の分岐配管継手１３４の他方の分岐端の出口側のゴムホース部材に挿入する挿入部に、第３のゴムホース本体１３６ｂの上端部位を嵌着し、その第３のゴムホース本体１３６ｂの上端部位をホースバンド１３３で締着し、更に、第３のゴムホース本体１３６ｂの下端部位を、管用ネジを刻設した管継手部を下向きにし、ゴムホース部材に挿入する挿入部を上向きにして配設された管継手１３１のゴムホース部材に挿入する挿入部に挿入し、その第３のゴムホース本体１３６ｂの下端部位をホースバンド１３３で締着して６個所ある内の空気導出口２が形成される。【００８３】  図１９を参照して、更に、前記一段目の分岐配管継手１３４の他方の分岐端の出口側のゴムホース部材に挿入する挿入部を、第４のゴムホース本体１３７の上端部位に嵌着し、その第４のゴムホース本体１３７の上端部位をホースバンド１３３で締着し、更に、第４のゴムホース本体１３７の下端部位に、右方分岐の第２段目の分岐配管継手１３４の入り口側のゴムホース部材に挿入する挿入部を挿入し、第４のゴムホース本体１３７の下端部位をホースバンド１３３で締着し、更に、右方の分岐の第２段目の分岐配管継手１３４の一方の分岐端の出口側のゴムホース部材に挿入する挿入部に、第５のゴムホース本体１３８ａの上端部位を嵌着し、その第５のゴムホース本体１３８ａの上端部位をホースバンド１３３で締着し、その第５のゴムホース本体１３８ａの下端部位に、中央下方の分岐の第３段目の分岐配管継手１３４の入り口側のゴムホース部材に挿入する挿入部を挿入し、第５のゴムホース本体１３５の下端部位をホースバンド１３３で締着し、更に、中央下方の分岐の第３段目の分岐配管継手１３４の一方の分岐端の出口側のゴムホース部材に挿入する挿入部に、第３のゴムホース本体１３６ｃの上端部位を嵌着し、その第３のゴムホース本体１３６ｃの上端部位をホースバンド１３３で締着し、更に、第３のゴムホース本体１３６ｃの下端部位を、管用ネジを刻設した管継手部を下向きにし、ゴムホース部材に挿入する挿入部を上向きにして配設された管継手１３１のゴムホース部材に挿入する挿入部に挿入し、その第３のゴムホース本体１３６ｃの下端部位をホースバンド１３３で締着して６個所ある内の空気導出口３が形成される。
同様に、中央下方の分岐の第３段目の分岐配管継手１３４の他方の分岐端の出口側のゴムホース部材に挿入する挿入部に、第３のゴムホース本体１３６ｄの上端部位を嵌着し、その第３のゴムホース本体１３６ｄの上端部位をホースバンド１３３で締着し、更に、第３のゴムホース本体１３６ｄの下端部位を、管用ネジを刻設した管継手部を下向きにし、ゴムホース部材に挿入する挿入部を上向きにして配設された管継手１３１のゴムホース部材に挿入する挿入部に挿入し、その第３のゴムホース本体１３６ｄの下端部位をホースバンド１３３で締着して６個所ある内の空気導出口４が形成される。【００８４】  図１９を参照して、更に、右方の分岐の第２段目の分岐配管継手１３４の他方の分岐端の出口側のゴムホース部材に挿入する挿入部に、第５のゴムホース本体１３８ｂの上端部位を嵌着し、その第５のゴムホース本体１３８ｂの上端部位をホースバンド１３３で締着し、その第５のゴムホース本体１３８ｂの下端部位に、最右方で最下方分岐の第３段目の分岐配管継手１３４の入り口側のゴムホース部材に挿入する挿入部を挿入し、第５のゴムホース本体１３８ｂの下端部位をホースバンド１３３で締着し、更に、最右方で最下方分岐の第３段目の分岐配管継手１３４の他方の分岐端の出口側のゴムホース部材に挿入する挿入部に、第３のゴムホース本体１３６ｅの上端部位を嵌着し、その第３のゴムホース本体１３６ｅの上端部位をホースバンド１３３で締着し、更に、第３のゴムホース本体１３６ｅの下端部位を、管用ネジを刻設した管継手部を下向きにし、ゴムホース部材に挿入する挿入部を上向きにして配設された管継手１３１のゴムホース部材に挿入する挿入部に挿入し、その第３のゴムホース本体１３６ｅの下端部位をホースバンド１３３で締着して６個所ある内の空気導出口５が形成される。
同様に、中央下方の分岐の第３段目の分岐配管継手１３４の他方の分岐端の出口側のゴムホース部材に挿入する挿入部に、第３のゴムホース本体１３６ｆの上端部位を嵌着し、その第３のゴムホース本体１３６ｆの上端部位をホースバンド１３３で締着し、更に、第３のゴムホース本体１３６ｆの下端部位を、管用ネジを刻設した管継手部を下向きにし、ゴムホース部材に挿入する挿入部を上向きにして配設された管継手１３１のゴムホース部材に挿入する挿入部に挿入し、その第３のゴムホース本体１３６ｆの下端部位をホースバンド１３３で締着して６個所ある内の空気導出口６が形成される。【００８５】  前記のようにして第４のゴムホース（第４の空気用配管）１３０が構成されている。そして、この第４のゴムホース（第４の空気用配管）１３０は、上方端部に１個所の空気導入口となる管継手１３１を、管用ネジを刻設した管継手部を上向きにして配設されている。エアーフィルター部５１が浮島枠体７４ａにエアーフィルター部止め金具７７により固定されており、そのエアーフィルター部５１の空気案内管５３と、第４のゴムホース（第４の空気用配管）１３０の一端部位とを、管継手７８を介して接続し、更に、この第４のゴムホース（第４の空気用配管）１３０の６個所に分岐した他端部位の各々と、ノズルユニット１１５に含まれる６個所の特殊ノズル部３０の各々突出部３６に設けた気体取入れ口３６ａとを、図示しない管継手を介して各々接続配管してある。【００８６】  図１７を参照して、本発明に係る実施例１０の水質浄化装置１１０の概略動作を述べる。動作は、実施例８の水質浄化装置９０や、実施例９の水質浄化装置１００とほぼ同じであり、詳細説明は省略する。まず初めに、前記濾過器２０の籠状フィルター部２３の底面部２３ｂと円筒側面編み目部２３ａを通し、河川、湖沼、海湾などの水２が、箱舟型の浮島７４に設けてあるポンプ部１０に吸引導入され、吸水配管１３を経由し、吸入口１２から、ポンプ本体１１を経て付勢され、更に、吐出口１５を経て、吐出水配管１６に導水圧送され、圧送水がノズルユニット１１５へと導水圧送され、この圧送水に誘発されて、箱舟型の浮島７４に設けられたエアーフィルター部５１から管継手７８を介して接続され、ホース押さえ金具８１に支持された第４のゴムホース（第４の空気用配管）１３０の空気導入口から途中６個所に分岐してなる空気給送口の各々から導出される空気が、更に、ノズルユニット１１５に含まれる６個使いの特殊ノズル部３０の気体取入れ口３６ａを有する突出部３６の各々に図示しないバレルニップル等の管継手を用いて配管接続されて導入された空気が、ノズルユニット１１５に含まれる６個所の特殊ノズル部３０内の各々にて、超微細気泡とされて圧送水流に混合されて、超微細気泡を含む気液混合水４９となって、ノズルユニット１１５に含まれる６個所の特殊ノズル部３０のノズル出口側部４１から、再度、河川、湖沼、海湾などの前記水２内に圧送放出され、大量に発生した超微細気泡によりこの作用を繰り返しながら水質浄化を図ることとなる。図１７において、水面からの深さＬ１（ここでは６ｍの水位位置）水位の位置に濾過器２０を配置して水底面に近い水位の水２を吸入導水しており��ノズルユニット１１５の６個所の特殊ノズル部３０のノズル出口側部４１を、水面からの深さＬ１（ここでは５ｍの水位位置）水位の位置に設置しており、吸入導水位置より浅い水位の位置（ここでは１ｍ浅い水位の位置）に、超微細気泡を含む気液混合水４９を放出してより効率良く水質浄化させている。【００８７】  図１８に示すノズルユニット１１５において、特殊ノズル部３０を６個所配設しているが、特殊ノズル部３０を４個所の配設でもよいし、５個所の配設でもよく、それに応じて第４のゴムホース（第４の空気用配管）１３０の６個所ある空気導出口も、４個所の配設にしてもよいし、５個所の配設にしてもよいことは勿論である。
以上、本発明の実施形態を説明したが、これに限定されるものではなく、本発明の要旨を逸脱することなく、その他種々の構成を取り得ることは勿論である。
【符号の説明】
【００８８】１、５５、５９、６６、６８、６９、７２、９０、１００、１１０・・・水質浄化装置、
２・・・水、
１０・・・ポンプ、
１２・・・吸入口、
１３・・・吸水配管、
１５・・・吐出口、
１６・・・吐出水配管、
２０・・・濾過器、
２６、５６、６０、１１５・・・ノズルユニット、
２７ａ、５７ａ、６１ａ、１１８ｂ・・・圧送水導入口、
２７ｄ、５７ｃ、６２、１２３ｅ・・・圧送水圧維持部、
３０・・・特殊ノズル部、
３６ａ・・・気体取入れ口、
３８・・・気体流出口、
４９・・・気液混合水流、
５１・・・エアーフィルター部、
７４・・・箱舟型の浮島７４、
８２、８４，８７、１３０・・・空気配管。
【図１】
2020116554.tif 000003
【図２】
2020116554.tif 000004
【図３】
2020116554.tif 000005
【図４】
2020116554.tif 000006
【図５】
2020116554.tif 000007
【図６】
2020116554.tif 000008
【図７】
2020116554.tif 000009
【図８】
2020116554.tif 000010
【図９】
2020116554.tif 000011
【図１０】
2020116554.tif 000012
【図１１】
2020116554.tif 000013
【図１２】
2020116554.tif 000014
【図１３】
2020116554.tif 000015
【図１４】
2020116554.tif 000016
【図１５】
2020116554.tif 000017
【図１６】
2020116554.tif 000018
【図１７】
2020116554.tif 000019
【図１８】
2020116554.tif 000020
【図１９】
2020116554.tif 000021